(57)【要約】      （修正有）【課題】インターホンの各種動作をレベル調節する可変抵抗器の可変位置を検出するにあたり、Ａ／Ｄ変換機能を必要とせず簡易な回路構成で実行する。【解決手段】子機からの呼び出しを親機にて報知するための呼出音の音量レベル、子機との間の通話成立時に送受信される音声信号の音量レベル、子機のカメラにて撮像された映像信号の明るさレベルを調節する可変抵抗器の可変位置をＣＰＵにて検出するにあたり、切換部により入力端子又は切換端子に切り換えられるＩ／Ｏ端子からの出力によってＲＣ回路のコンデンサに充電され可変抵抗器を介して放電される電圧の放電時間をカウンタにて計時することで、ＣＰＵは、計時された放電時間に基づき可変位置を検出することができる。【選択図】図２
2011135338.tif 000002
【特許請求の範囲】
【請求項１】
カメラ（１３）を有する子機（１）と、前記子機からの呼び出しに応答して通話を成立させるとともに前記カメラにて撮像された映像信号を出画するためのモニタ（２３）を有する親機（２）とを設けるインターホンシステムにおいて、
前記親機は、前記子機からの呼び出しを報知するための呼出音の音量レベル、前記子機との間の通話成立時に送受信される音声信号の音量レベル、前記カメラにて撮像された映像信号の明るさレベルを調節するための可変抵抗器（２６ａ、２６ｂ、２６ｃ、２６ｄ）、所定の電圧をコンデンサ（Ｃ1、Ｃ2、Ｃ3、Ｃ4）に充電し、前記充電が停止された後前記電圧が前記可変抵抗器を介して放電されるＲＣ回路（２７ａ、２７ｂ、２７ｃ、２７ｄ）と、前記ＲＣ回路を介して前記可変抵抗器が接続されるＩ／Ｏ端子（２８０ａ、２８０ｂ、２８０ｃ、２８０ｄ）、前記Ｉ／Ｏ端子を入力端子又は出力端子として切換えるための切換部（２８１ａ、２８１ｂ、２８１ｃ、２８１ｄ）、前記Ｉ／Ｏ端子からの出力により前記ＲＣ回路に充電され前記可変抵抗器を介して放電される電圧の放電時間を計時するためのカウンタ（２８２ａ、２８２ｂ、２８２ｃ、２８２ｄ）、前記カウンタにて計時される放電時間をもとに前記可変抵抗器の可変位置を検出するための制御部（２８３）を有するＣＰＵ（２８）とを備えることを特徴とするインターホンシステム。
【発明の詳細な説明】
【技術分野】
【０００１】
本発明は、インターホンシステムに係り、特に、インターホンの各種動作をレベル調節する可変抵抗器の可変位置の検出機能を有するインターホンシステムに関する。
【背景技術】
【０００２】
従来から、例えば、オーディオ機器の音量調節や照明装置の調光等、機器の使用者が、その機器の動作状態を調節するにあたっては、可変抵抗器が広く用いられている。
【０００３】
そこで、可変抵抗器の可変位置情報を検出するマイクロコンピュータを備え、このマイクロコンピュータが有する制御として、Ａ／Ｄ変換されたデジタルデータを使用する可変抵抗器が開示されている（例えば、特許文献１を参照。）。
【先行技術文献】
【特許文献】
【０００４】
【特許文献１】特開平５−２８３９５７号公報
【発明の概要】
【発明が解決しようとする課題】
【０００５】
背景技術に記載された特許文献１の可変抵抗器によれば、マイクロコンピュータの構成としてＡ／Ｄ変換部が必要とされ、その構成を適用するにあたり、コストが増大となる難点があった。
【０００６】
本発明は、この難点を解消するためになされたもので、インターホンの各種動作をレベル調節する可変抵抗器の可変位置を検出するにあたり、Ａ／Ｄ変換機能を必要とせず簡易な回路構成で実行することができるインターホンシステムを提供することを目的としている。
【課題を解決するための手段】
【０００７】
前述の目的を達成するため、本発明のインターホンシステムは、カメラを有する子機と、子機からの呼び出しに応答して通話を成立させるとともにカメラにて撮像された映像信号を出画するためのモニタを有する親機とを設けるインターホンシステムにおいて、親機は、子機からの呼び出しを報知するための呼出音の音量レベル、子機との間の通話成立時に送受信される音声信号の音量レベル、カメラにて撮像された映像信号の明るさレベルを調節するための可変抵抗器、所定の電圧をコンデンサに充電し、充電が停止された後電圧が可変抵抗器を介して放電されるＲＣ回路と、ＲＣ回路を介して可変抵抗器が接続されるＩ／Ｏ端子、Ｉ／Ｏ端子を入力端子又は出力端子として切換えるための切換部、Ｉ／Ｏ端子からの出力によりＲＣ回路に充電され可変抵抗器を介して放電される電圧の放電時間を計時するためのカウンタ、カウンタにて計時される放電時間をもとに可変抵抗器の可変位置を検出するための制御部を有するＣＰＵとを備えている。
【発明の効果】
【０００８】
本発明のインターホンシステムによれば、子機からの呼び出しを親機にて報知するための呼出音の音量レベル、子機との間の通話成立時に送受信される音声信号の音量レベル、子機のカメラにて撮像された映像信号の明るさレベルを調節する可変抵抗器の可変位置をＣＰＵにて検出するにあたり、切換部により入力端子又は切換端子に切り換えられるＩ／Ｏ端子からの出力によってＲＣ回路のコンデンサに充電され可変抵抗器を介して放電される電圧の放電時間をカウンタにて計時することで、ＣＰＵは、計時された放電時間に基づき可変位置を検出することができる。これにより、ＣＰＵの構成として、Ａ／Ｄ変換機能を必要とせず簡易な回路構成で、可変位置の検出動作を実行することができる。
【図面の簡単な説明】
【０００９】
【図１】図１は、本発明の実施例によるインターホンシステムの全体構成を示すブロック図である。
【図２】図２は、本発明の実施例によるインターホンシステムにおける親機の具体的な構成を示すブロック図である。
【図３】図３は、本発明の実施例によるインターホンシステムにおける動作シーケンス図である。
【発明を実施するための最良の形態】
【００１０】
以下、本発明のインターホンシステムを適用した最良の実施の形態例について、図面を参照して説明する。
【００１１】
図１は、本発明の実施例によるインターホンシステムの全体構成を示すシステム説明図である。このインターホンシステムは、住戸玄関等の住戸外に設置される子機１と、住戸内に設置され、伝送路Ｌを介して接続される子機１からの呼び出しを報知し、当該呼び出しに応答して通話を成立させるための親機２とが設けられている。
【００１２】
同図において、子機１には、子機操作部１０、子機マイク１１、子機スピーカ１２及びカメラ１３が備えられている。ここで、子機操作部１０は、親機２の使用者である住戸内に在室中の居住者を呼び出すにあたり、住戸外に居る来訪者が所定の呼出操作を行うものであって、例えば、呼出ボタンにて構成されている。また、子機マイク１１及び子機スピーカ１２は、来訪者が居住者との間で通話を成立させるにあたり、音声（送話音声、受話音声）信号を入出力するためのものである。さらに、カメラ１３は、呼出操作を行った来訪者の映像信号や住戸玄関等の住戸外の周囲近傍の映像信号を撮像するためのものであり、例えば、ＣＣＤ、ＣＭＯＳ等の各種の映像撮像媒体にて構成されている。
【００１３】
親機２には、親機操作部２０、親機マイク２１、親機スピーカ２２及びモニタ２３が備えられている。ここで、親機操作部２０は、居住者が来訪者からの呼び出しに応答して通話を開始させるための応答操作を行うとともに、成立中の通話を終了するための終話操作を行うものであって、例えば、通話ボタンにて構成されている。また、親機マイク２１及び親機スピーカ２２は、居住者が来訪者との間で通話を成立させるにあたり、音声（送話音声、受話音声）信号を入出力するためのものであって、この親機スピーカ２２は、来訪者からの呼び出しがある旨の呼出音を放音することもできる。さらに、モニタ２３は、子機１のカメラ１３にて撮像された映像信号を出画するものであって、このモニタ２３は、来訪者からの呼び出しがある旨の文字メッセージや絵データ等を表示することもでき、例えば、ＬＣＤ、有機ＥＬディスプレイ等の各種の映像出画・表示媒体にて構成されている。
【００１４】
次に、親機２の具体的な構成について、図２のブロック図を参照して説明する。この親機２には、前述の親機操作部２０、親機マイク２１、親機スピーカ２２及びモニタ２３と、音声処理部２４と、映像処理部２５と、呼出音用可変抵抗器２６ａ、送話音声用可変抵抗器２６ｂ、受話音声用可変抵抗器２６ｃ及び映像用可変抵抗器２６ｄと、呼出音用ＲＣ回路２７ａ、送話音声用ＲＣ回路２７ｂ、受話音声用ＲＣ回路２７ｃ及び映像用ＲＣ回路２７ｄと、ＣＰＵ２８と、インターフェース（以下、Ｉ／Ｆという。）２９とが備えられている。
【００１５】
この親機２において、音声処理部２４は、親機スピーカ２２にて放音させる呼出音を増幅するとともに、親機マイク２１及び親機スピーカ２２にて入出力される音声（送話音声、受話音声）信号を増幅するためのものである。また、映像処理部２５は、モニタ２３にて出力させる映像信号について復調後、必要に応じてその明るさレベルを調節するためのものである。
【００１６】
呼出音用可変抵抗器２６ａは、子機１からの呼び出しを報知するための呼出音の音量レベルの設定値を可変するためのものである。また、呼出音用ＲＣ回路２７ａは、抵抗Ｒ1及びコンデンサＣ1にて構成され、ＣＰＵ２８からの出力であり抵抗Ｒ1を介して供給されてくる所定の電圧をコンデンサＣ1に充電し、その充電の終了後、呼出音用可変抵抗器２６ａを介してコンデンサＣ1から放電されるものである。
【００１７】
送話音声用可変抵抗器２６ｂは、子機１との間の通話成立時に親機マイク２１に入力される音声（送話音声）信号の音量レベルの設定値を可変するためのものである。また、送話音声用ＲＣ回路２７ｂは、抵抗Ｒ2及びコンデンサＣ2にて構成され、ＣＰＵ２８からの出力であり抵抗Ｒ2を介して供給されてくる所定の電圧をコンデンサＣ2に充電し、その充電の終了後、送話音声用可変抵抗器２６ｂを介してコンデンサＣ2から放電されるものである。
【００１８】
受話音声用可変抵抗器２６ｃは、子機１との間の通話成立時に親機スピーカ２２から出力される音声（受話音声）信号の音量レベルの設定値を可変するためのものである。また、受話音声用ＲＣ回路２７ｃは、抵抗Ｒ3及びコンデンサＣ3にて構成され、ＣＰＵ２８からの出力であり抵抗Ｒ3を介して供給されてくる所定の電圧をコンデンサＣ3に充電し、その充電の終了後、受話音声用可変抵抗器２６ｃによりコンデンサＣ3から放電されるものである。
【００１９】
映像用可変抵抗器２６ｄは、子機１のカメラ１３にて撮像された映像信号の明るさレベルの設定値を可変するためのものである。また、映像用ＲＣ回路２７ｄは、抵抗Ｒ4及びコンデンサＣ4にて構成され、ＣＰＵ２８からの出力であり抵抗Ｒ4を介して供給されてくる所定の電圧をコンデンサＣ4に充電し、その充電の終了後、映像用可変抵抗器２６ｄを介してコンデンサＣ3から放電されるものである。
【００２０】
ＣＰＵ２８は、当該親機の構成各部を制御するためのものであって、呼出音用Ｉ／Ｏ端子２８０ａ、送話音声用Ｉ／Ｏ端子２８０ｂ、受話音声用Ｉ／Ｏ端子２８０ｃ及び映像用Ｉ／Ｏ端子２８０ｄと、呼出音用切換部２８１ａ、送話音声用切換部２８１ｂ、受話音声用切換部２８１ｃ及び映像用切換部２８１ｄと、呼出音用カウンタ２８２ａ、送話音声用カウンタ２８２ｂ、受話音声用カウンタ２８２ｃ及び映像用カウンタ２８２ｄと、制御部２８３とが備えられている。
【００２１】
このＣＰＵ２８において、呼出音用Ｉ／Ｏ端子２８０ａは、呼出音用ＲＣ回路２７ａを介して呼出音用可変抵抗器２６ａが接続されており、制御部２８３から呼出音用切換部２８１ａへの制御に基づき入力端子又は出力端子に切換わるものである。また、送話音声用Ｉ／Ｏ端子２８０ｂは、送話音声用ＲＣ回路２７ｂを介して送話音声用可変抵抗器２６ｂが接続されており、制御部２８３から送話音声用切換部２８１ｂへの制御に基づき入力端子又は出力端子に切換るものである。また、受話音声用Ｉ／Ｏ端子２８０ｃは、受話音声用ＲＣ回路２７ｃを介して受話音声用可変抵抗器２６ｃが接続されており、制御部２８３から受話音声用切換部２８１ｃへの制御に基づき入力端子又は出力端子に切換るものである。さらに、映像用Ｉ／Ｏ端子２８０ｄは、映像用ＲＣ回路２７ｄを介して映像用可変抵抗器２６ｄが接続されており、制御部２８３から映像用切換部２８１ｄへの制御に基づき入力端子又は出力端子に切換るものである。
【００２２】
呼出音用カウンタ２８２ａは、呼出音用Ｉ／Ｏ端子２８０ａからの出力により呼出音用ＲＣ回路２７ａのコンデンサＣ1に充電され呼出音用可変抵抗器２６ａを介して放電される電圧の放電時間を計時するためのものである。また、送話音声用カウンタ２８２ｂは、送話音声用Ｉ／Ｏ端子２８０ｂからの出力により送話音声用ＲＣ回路２７ｂのコンデンサＣ2に充電され送話音声用可変抵抗器２６ｂを介して放電される電圧の放電時間を計時するためのものである。また、受話音声用カウンタ２８２ｃは、受話音声用Ｉ／Ｏ端子２８０ｃからの出力により受話音声用ＲＣ回路２７ｃのコンデンサＣ3に充電され受話音声用可変抵抗器２６ｃを介して放電される電圧の放電時間を計時するためのものである。さらに、映像用カウンタ２８２ｄは、映像用Ｉ／Ｏ端子２８０ｄからの出力により映像用ＲＣ回路２７ｄのコンデンサＣ4に充電され映像用可変抵抗器２６ｄを介して放電される電圧の放電時間を計時するためのものである。なお、呼出音用カウンタ２８２ａ、送話音声用カウンタ２８２ｂ、受話音声用カウンタ２８２ｃ及び映像用カウンタ２８２ｄについては、一体で設けることもでき、また、制御部２８３の回路内に備えることもできる。
【００２３】
制御部２８３は、呼出音用カウンタ２８２ａ、送話音声用カウンタ２８２ｂ、受話音声用カウンタ２８２ｃ及び映像用カウンタ２８２ｄにて計時される放電時間をもとに、呼出音用可変抵抗器２６ａ、送話音声用可変抵抗器２６ｂ、受話音声用可変抵抗器２６ｃ及び映像用可変抵抗器２６ｄの可変位置をそれぞれ検出するためものである。
【００２４】
Ｉ／Ｆ２９は、音声処理部２４及び伝送路Ｌの間の信号伝送ラインと、伝送路Ｌから映像処理部２５への信号伝送ラインと、ＣＰＵ２８の制御部２８３及び伝送路Ｌの間の信号伝送ラインとをそれぞれ形成するためのものである。
【００２５】
このように構成されたインターホンシステムにおいて、以下、具体的な動作について、図３の動作シーケンス図を参照して説明する。
【００２６】
図１に示す親機２が設置された住戸内に在室中の居住者を呼び出すにあたり、住戸外に居る来訪者が子機１の子機操作部１０を使用して所定の呼出操作を行うと、この子機操作部１０にて生成された呼出信号が、伝送路Ｌ、図２に示す親機２のＩ／Ｆ２９を介してＣＰＵ２８の制御部２８３に伝送される。
【００２７】
親機２において、ＣＰＵ２８の制御部２８３は、子機１からの呼出信号を受信すると、来訪者による呼び出しがあることを検出する。この制御部２８３は、音声処理部２４を介して増幅される呼出音信号を親機スピーカ２２に送出することで、来訪者からの呼び出しがあることを示す呼出音を親機スピーカ２２から放音させて呼出報知することができる。また、制御部２８３は、子機１のカメラ１３、モニタ２３及び映像処理部２５を制御して駆動させることにより、このカメラ１３にて撮像された映像信号が、伝送路Ｌ、親機２のＩ／Ｆ２９、映像処理部２５を介してモニタ２３に伝送され、映像処理部２５を介して明るさレベルが調節された来訪者の映像信号（住戸玄関等の住戸外の周囲近傍の映像信号を含む。）をモニタ２３に出画させることができる。
【００２８】
ここで、ＣＰＵ２８の制御部２８３は、図３に示すように、呼出音用切換部２８１ａ及び映像用切換部２８１ｄを切換え、呼出音Ｉ／Ｏ端子２８０ａ、映像用Ｉ／Ｏ端子２８０ｄがそれぞれ出力端子となるように制御することにより、呼出音用ＲＣ回路２７ａ、映像用ＲＣ回路２７ｄの各コンデンサＣ1、Ｃ4には、当該制御部からの電力供給を受け充電が開始される。この後、呼出音Ｉ／Ｏ端子２８０ａ、映像用Ｉ／Ｏ端子２８０ｄの端子電圧がそれぞれ、「０Ｖ」から「５Ｖ」に到達すると、各コンデンサＣ1、Ｃ4への充電が終了し、次に、制御部２８３は、呼出音用切換部２８１ａ及び映像用切換部２８１ｄを切換え、呼出音Ｉ／Ｏ端子２８０ａ、映像用Ｉ／Ｏ端子２８０ｄがそれぞれ入力端子となるように制御するとともに、呼出音用カウンタ２８２ａ及び映像用カウンタ２８２ｄを起動させる。
【００２９】
また、呼出音用ＲＣ回路２７ａのコンデンサＣ1に充電された電圧は、音声処理部２４に連動して駆動される呼出音用可変抵抗器２６ａを介して放電され、その電圧レベルが「５Ｖ」から図３に示す例えば、「２．５Ｖ」に低下すると、ＣＰＵ２８の呼出音用Ｉ／Ｏ端子２８０ａが「Ｈ」から「Ｌ」に変化することから、これを検出した制御部２８３は、呼出音用カウンタ２８２ａによる計時を停止させるとともに、この呼出音用カウンタ２８２ａにて計時された時間、すなわち、コンデンサＣ1の放電時間Ｔ1に基づき、呼出音用可変抵抗器２６ａの可変位置を検出することができる。具体的にＣＰＵ２８は、図３に示すように、放電時間Ｔ1が例えば、１ミリ秒、１０ミリ秒のように異なる場合、当該放音時間が短いほど可変位置が小さく、親機スピーカ２２から放音させる呼出音の音量レベルの設定値である増幅利得が「最小値」である一方、当該放音時間が長いほど可変位置が大きく、親機スピーカ２２から放音させる呼出音の音量レベルの設定値である増幅利得が「最大値」であることを容易に検出することができ、これら検出された設定値で、音声処理部２４による呼出音の音量レベルの増幅動作を制御する。
【００３０】
さらに、映像音用ＲＣ回路２７ｄのコンデンサＣ4に充電された電圧は、映像処理部２５に連動して駆動される映像用可変抵抗器２６ｄを介して放電され、その電圧レベルが「５Ｖ」から図３に示す例えば、「２．５Ｖ」に低下すると、ＣＰＵ２８の映像用Ｉ／Ｏ端子２８０ｄが「Ｈ」から「Ｌ」に変化することから、これを検出した制御部２８３は、映像用カウンタ２８２ｄによる計時を停止させるとともに、この映像用カウンタ２８２ｄにて計時された時間、すなわち、コンデンサＣ4の放電時間Ｔ4に基づき、映像用可変抵抗器２６ｄの可変位置を検出することができる。具体的にＣＰＵ２８は、図３に示すように、放電時間Ｔ4が例えば、１ミリ秒、１０ミリ秒のように異なる場合、当該時間が短いほど可変位置が小さく、モニタ２３に出画させる映像信号の明るさレベルの設定値が低く抑えられた「最小値」である一方、当該放音時間が長いほど可変位置が大きく、モニタ２３に出画させる映像信号の明るさレベルの設定値が「最大値」であることを容易に検出することができ、これら検出された設定値で、映像処理部２５による映像信号の明るさレベルの可変動作を制御する。
【００３１】
次に、前述のような親機２の親機スピーカ２２からの呼出音の放音、及びモニタ２３に出画された映像信号をもとに、来訪者による子機１からの呼び出しがあることを当該来訪者の判別と併せて確認できた居住者が、親機操作部２０を使用して所定の応答操作を行うと、この操作を検出したＣＰＵ２８の制御部２８３は、子機１の通話機能を能動とするとともに音声処理部２４を制御することにより、親機マイク２１から音声処理部２４、Ｉ／Ｆ２９、伝送路Ｌを介して子機１の子機スピーカ１２への信号伝送ラインと、子機マイク１１から伝送路Ｌ、Ｉ／Ｆ２９、音声処理部２４を介して親機スピーカ２２への信号伝送ラインとがそれぞれ形成され、形成された信号伝送ラインを介して音声（送話音声、受話音声）信号を送受信することで通話が成立する。ここで、音声処理部２４は、送受信される音声（送話音声、受話音声）信号を増幅している。
【００３２】
ここで、ＣＰＵ２８の制御部２８３は、図３に示すように、送話音声用切換部２８１ｂ及び受話音声用切換部２８１ｃを切換え、送話音声用Ｉ／Ｏ端子２８０ｂ、受話音声用Ｉ／Ｏ端子２８０ｃがそれぞれ出力端子となるように制御することにより、送話音声用ＲＣ回路２７ｂ、受話音声用ＲＣ回路２７ｃの各コンデンサＣ2、Ｃ3には、当該制御部からの電力供給を受け充電が開始される。この後、送話音声用Ｉ／Ｏ端子２８０ｂ、受話音声用Ｉ／Ｏ端子２８０ｃの端子電圧がそれぞれ、「０Ｖ」から「５Ｖ」に到達すると、各コンデンサＣ2、Ｃ3への充電が終了し、次に、制御部２８３は、送話音声用切換部２８１ｂ及び受話音声用切換部２８１ｃを切換え、送話音声用Ｉ／Ｏ端子２８０ｂ、受話音声用Ｉ／Ｏ端子２８０ｃがそれぞれ入力端子となるように制御するとともに、送話音声用カウンタ２８２ｂ及び受話音声用カウンタ２８２ｃを起動させる。
【００３３】
また、送話音声用ＲＣ回路２７ｂのコンデンサＣ2に充電された電圧は、音声処理部２４に連動して駆動される送話音声用可変抵抗器２６ｂを介して放電され、その電圧レベルが「５Ｖ」から図３に示す例えば、「２．５Ｖ」に低下すると、ＣＰＵ２８の送話音声用Ｉ／Ｏ端子２８０ｂが「Ｈ」から「Ｌ」に変化することから、これを検出した制御部２８３は、送話音声用カウンタ２８２ｂによる計時を停止させるとともに、この送話音声用カウンタ２８２ｂにて計時された時間、すなわち、コンデンサＣ2の放電時間Ｔ2に基づき、送話音声用可変抵抗器２６ｂの可変位置を検出することができる。具体的にＣＰＵ２８は、図３に示すように、放電時間Ｔ2が例えば、１ミリ秒、１０ミリ秒のように異なる場合、当該放電時間が短いほど可変位置が小さく、親機マイク２１に入力される居住者の音声（送話音声）信号の音量レベルの設定値である増幅利得が「最小値」である一方、当該放電時間が長いほど可変位置が大きく、親機マイク２１に入力される居住者の音声（送話音声）信号の音量レベルの設定値である増幅利得が「最大値」であることを容易に検出することができ、これら検出された設定値で、音声処理部２４による音声（送話音声）信号の音量レベルの増幅動作を制御する。
【００３４】
さらに、受話音声用ＲＣ回路２７ｃのコンデンサＣ3に充電された電圧は、音声処理部２４に連動して駆動される受話音声用可変抵抗器２６ｃを介して放電され、その電圧レベルが「５Ｖ」から図３に示す例えば、「２．５Ｖ」に低下すると、ＣＰＵ２８の受話音声用Ｉ／Ｏ端子２８０ｃが「Ｈ」から「Ｌ」に変化することから、これを検出した制御部２８３は、受話音声用カウンタ２８２ｃによる計時を停止させるとともに、この受話音声用カウンタ２８２ｃにて計時された時間、すなわち、コンデンサＣ3の放電時間Ｔ3に基づき、受話音声用可変抵抗器２６ｃの可変位置を検出することができる。具体的にＣＰＵ２８は、図３に示すように、放電時間Ｔ3が例えば、１ミリ秒、１０ミリ秒のように異なる場合、当該放電時間が短いほど可変位置が小さく、玄関子機１の子機マイク１１に入力され、伝送路Ｌ、Ｉ／Ｆ２９を介して伝送されてくる来訪者の音声（受話音声）信号の音量レベルの設定値である増幅利得が「最小値」である一方、当該放音時間が長いほど可変位置が大きく、同様な来訪者の音声（受話音声）信号の音量レベルの設定値である増幅利得が「最大値」であることを容易に検出することができ、これら検出された設定値で、音声処理部２４による音声（受話音声）信号の音量レベルの増幅動作を制御する。
【００３５】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【符号の説明】
【００３６】
１……子機
１３……カメラ
２……親機
２０……モニタ
２６ａ……呼出音用可変抵抗器（可変抵抗器）
２６ｂ……送話音声用可変抵抗器（可変抵抗器）
２６ｃ……受話音声用可変抵抗器（可変抵抗器）
２６ｄ……映像用可変抵抗器（可変抵抗器）
２７ａ……呼出音用ＲＣ回路（ＲＣ回路）
Ｃ1……コンデンサ
２７ｂ……送話音声用ＲＣ回路（ＲＣ回路）
Ｃ2……コンデンサ
２７ｃ……受話音声用ＲＣ回路（ＲＣ回路）
Ｃ3……コンデンサ
２７ｄ……映像用ＲＣ回路（ＲＣ回路）
Ｃ4……コンデンサ
２８……ＣＰＵ
２８０ａ……呼出音用Ｉ／Ｏ端子（Ｉ／Ｏ端子）
２８０ｂ……送話音声用Ｉ／Ｏ端子（Ｉ／Ｏ端子）
２８０ｃ……受話音声用Ｉ／Ｏ端子（Ｉ／Ｏ端子）
２８０ｄ……映像用Ｉ／Ｏ端子（Ｉ／Ｏ端子）
２８１ａ……呼出音用切換部（切換部）
２８１ｂ……送話音声用切換部（切換部）
２８１ｃ……受話音声用切換部（切換部）
２８１ｄ……映像用切換部（切換部）
２８２ａ……呼出音用カウンタ（カウンタ）
２８２ｂ……送話音声用カウンタ（カウンタ）
２８２ｃ……受話音声用カウンタ（カウンタ）
２８２ｄ……映像用カウンタ（カウンタ）
２８３……制御部
【図１】
2011135338.tif 000003
【図２】
2011135338.tif 000004
【図３】
2011135338.tif 000005